(57)【要約】【課題】従来の技術の代わりとなる負荷の駆動のための態様を提供する。【解決手段】本発明は、駆動信号（ＶＰＩＥＺＯ）によって負荷（２）を駆動するための装置（１）に関する。装置（１）は、ＡＣ電圧源（３）およびＤＣ電圧源（４）およびコンデンサ（５）および制御装置（６）を含む。ＡＣ電圧源（３）はＡＣ電圧（ＶＢＳＴ）を出力する。ＤＣ電圧源（４）はＤＣ電圧（Ｖ１）を出力する。コンデンサ（５）は第１の端子（５１）および第２の端子（５２）を含む。ＡＣ電圧源（３）は第１の端子（５１）に接続され、信号出力（２５）は第２の端子（５２）に接続されている。制御装置（６）は、信号出力（２５）での電圧提供に依存して、ＤＣ電圧源（４）と第２の端子（５２）との間の接続を制御する。さらに、本発明は、デバイスに対してだけでなく、対応する方法に関する。【選択図】図１
2019523624.tif 000002
【特許請求の範囲】
【請求項１】
駆動信号（ＶＰＩＥＺＯ）によって負荷（２）を駆動するための装置（１）であって、
前記装置（１）は、ＡＣ電圧源（３）、ＤＣ電圧源（４）、コンデンサ（５）および制御装置（６）を含み、
前記ＡＣ電圧源（３）はＡＣ電圧（ＶＯＵＴ）を出力するように構成され、
前記ＤＣ電圧源（４）は予め決定可能な大きさを持つＤＣ電圧（Ｖ１）を出力するように構成され、
前記コンデンサ（５）は第１の端子（５１）および第２の端子（５２）を含み、
前記ＡＣ電圧源（３）は前記第１の端子（５１）に接続され、
信号出力（２５）は前記第２の端子（５２）に接続され、
前記制御装置（６）は、前記信号出力（２５）での電圧提供に依存して、前記ＤＣ電圧源（４）と前記第２の端子（５２）との間の接続を制御するように構成されている、装置（１）。
【請求項２】
前記駆動信号（ＶＰＩＥＺＯ）は、正の振幅および負の振幅を持つＡＣ電圧信号であり、
前記駆動信号（ＶＰＩＥＺＯ）の前記正の振幅の大きさは、前記ＤＣ電圧源（４）の前記ＤＣ電圧（Ｖ１）の前記大きさに依存し、
前記駆動信号（ＶＰＩＥＺＯ）の前記負の振幅の大きさは、前記ＡＣ電圧源（３）の前記ＡＣ電圧（ＶＯＵＴ）の正の振幅の大きさと前記ＤＣ電圧源（４）の前記ＤＣ電圧（Ｖ１）の前記大きさとの間の差の大きさに依存する、請求項１に記載の装置（１）。
【請求項３】
前記ＤＣ電圧源（４）の前記ＤＣ電圧（Ｖ１）の前記大きさは、前記ＡＣ電圧源（３）の前記ＡＣ電圧（ＶＯＵＴ）の正の振幅の大きさより小さい、請求項１または請求項２に記載の装置（１）。
【請求項４】
前記制御装置（６）は、仮に前記信号出力（２５）に存在する前記電圧が前記ＤＣ電圧源（４）の前記ＤＣ電圧（Ｖ１）より大きい、または、これに等しいならば、前記ＤＣ電圧源（４）を前記第２のターミナル（５２）に接続するように構成されている、請求項１〜請求項３のいずれか１つに記載の装置（１）。
【請求項５】
前記ＡＣ電圧源（３）は制御可能な電流源（８）を含み、
前記電流源（８）はＡＣ電流を発生させるように構成され、
前記電流源（８）は前記コンデンサ（５）の前記第１の端子（５１）に接続されている、請求項１〜請求項４のいずれか１つに記載の装置（１）。
【請求項６】
前記電流源（８）は少なくとも２つの電流調節回路（８１）を含む、請求項５に記載の装置（１）。
【請求項７】
前記ＡＣ電圧源（３）はＤＣ電圧コンバータ（７）を含み、
前記ＤＣ電圧コンバータ（７）は、ＤＣ電圧（ＶＩＮ）に基づいて、駆動電圧（ＶＢＳＴ）を生成するように構成され、
ステップアップコンバータ（７）により生成された前記駆動電圧（ＶＢＳＴ）は、前記電流源（８）に供給される、請求項５または請求項６に記載の装置（１）。
【請求項８】
前記ＡＣ電圧源（３）は、出力される前記ＡＣ電圧（ＶＯＵＴ）に負の振幅が無いように構成されている、請求項１〜請求項７のいずれか１つに記載の装置（１）。
【請求項９】
前記ＡＣ電圧源（３）は、出力される前記ＡＣ電圧（ＶＯＵＴ）が正の振幅および０ボルトの振幅を含むように構成されている、請求項８に記載の装置（１）。
【請求項１０】
前記負荷（２）は接地されている、請求項１〜請求項９のいずれか１つに記載の装置（１）。
【請求項１１】
前記制御装置（６）は少なくとも１つの整流器を含む、請求項１〜請求項１０のいずれか１つに記載の装置（１）。
【請求項１２】
前記制御装置（６）は、カソード側で前記ＤＣ電圧源（４）に接続され、アノード側で前記信号出力（２５）に接続されている少なくとも１つのダイオードを含む、請求項１〜請求項１１のいずれか１つに記載の装置（１）。
【請求項１３】
少なくとも負荷（２）と駆動信号（ＶＰＩＥＺＯ）によって前記負荷（２）を駆動するための装置（１）とを持っているデバイス（１００）であって、
前記装置（１）は、ＡＣ電圧源（３）およびＤＣ電圧源（４）およびコンデンサ（５）および制御装置（６）を含み、
前記ＡＣ電圧源（３）はＡＣ電圧（ＶＯＵＴ）を出力するように構成され、
前記ＤＣ電圧源（４）は予め決定可能な大きさのＤＣ電圧（Ｖ１）を出力するように構成され、
前記コンデンサ（５）は第１のターミナル（５１）および第２のターミナル（５２）を含み、
前記ＡＣ電圧源（３）は前記第１のターミナル（５１）に接続され、
信号出力（２５）は前記第２のターミナル（５２）に接続され、
前記制御装置（６）は、前記信号出力（２５）に存在する電圧に依存して、前記ＤＣ電圧源（４）と前記第２のターミナル（５２）との間の接続を制御するように構成されている、デバイス（１００）。
【請求項１４】
前記装置（１）は請求項２〜請求項１２のいずれか１つに従って構成されている、請求項１３に記載のデバイス（１００）。
【請求項１５】
前記負荷（２）はピエゾアクチュエータである、請求項１３または請求項１４に記載のデバイス（１００）。
【請求項１６】
前記デバイス（１００）はマイクロポンプとして構成されている、請求項１３〜請求項１５のいずれか１つに記載のデバイス（１００）。
【請求項１７】
駆動信号（ＶＰＩＥＺＯ）によって負荷（２）を駆動するための方法であって、
ＡＣ電圧（ＶＯＵＴ）を生成するステップと、
ＤＣ電圧（Ｖ１）を生成するステップと、
前記ＡＣ電圧（ＶＯＵＴ）をコンデンサ（５）の第１のターミナル（５１）に適用するステップと、
前記ＤＣ電圧（Ｖ１）を、信号出力（２５）に存在する電圧に依存して、前記コンデンサ（５）の第２のターミナル（５２）に適用するステップとを含む、方法。
【発明の詳細な説明】
【技術分野】
【０００１】
本発明は、駆動信号によって負荷を駆動するための装置および対応する方法に関する。さらに、本発明は、特に、駆動されるべき負荷を含むデバイスに関する。
【背景技術】
【０００２】
一般に、（電気的）負荷は、（電気）駆動信号を受信する部品、組立品またはデバイスである。負荷の例は、電気駆動信号を機械的動作または他の物理的量（例えば、圧力または温度）に変換し、それから、工程または部品に積極的に影響するアクチュエータ（または、駆動素子）である。
【０００３】
例えば、少なくとも１つのピエゾ電気（圧電気）素子を含むピエゾアクチュエータは、特別なアクチュエータである。それらは、いくつかの固体が電気分極の変化（従って、固体での電圧の発生）と弾性変形との間の関係を含むという事実を利用する。別の例によれば、負荷は、駆動信号によって作動するセンサーの一部であり、その測定動作は駆動信号によって影響される。
【０００４】
ピエゾアクチュエータの応用の１つの分野は、マイクロポンプである。マイクロポンプは、マイクロシステム技術方式を使って生成された液体、ガスまたは流動性物質を搬送するためのポンプである。ピエゾアクチュエータは、逆ピエゾ効果を使って、媒体を一定の方向に搬送するためにダイヤフラムを動かす。
【０００５】
大きい正の振幅（最大数百ボルト）と小さい負の振幅（最小−１００ボルト）とを持つＡＣ電圧信号は、ピエゾアクチュエータを駆動するために通常使用される。応用に依存して、２つの振幅の大きさの値は異なり、互いに独立しており、非対称な駆動信号を結果として生じる。マイクロポンプで、振幅は、例えばダイヤフラムのピエゾ電気素子の厚さに依存して規定されるべきである。
【０００６】
さらに、例えばマイクロポンプにおいて、ピエゾアクチュエータに電気的に接続されたダイヤフラムは、接地電位と接触することが、特定の応用、例えば医学的応用において必要である。従って、ピエゾ素子の２つの接続面のそれぞれが電気駆動回路に接続される、ピエゾアクチュエータの差動的駆動は不可能である。
【０００７】
さらに、仮にマイクロポンプを駆動するための電子部品が可能な限りコンパクトで、集積回路（ＩＣ）において大きく有利に実現されるならば、それは利点である。これは、例えば携帯電話または医療機器において、応用および使用を単純化する。さらに、このようにして、コストが削減され、いくつかの応用が最初に可能になる。
【０００８】
ピエゾアクチュエータを駆動するための異なる概念は、例えば、非特許文献１に記載されている。
【先行技術文献】
【非特許文献】
【０００９】
【非特許文献１】「ピエゾ電気アクチュエータのための制御概念」という表題を付けられた、グンナー・グナドによる学術論文、２００５年
【発明の概要】
【発明が解決しようとする課題】
【００１０】
従って、本発明の目的は、従来技術の代わりとなる負荷の駆動のための態様を提供することである。
【課題を解決するための手段】
【００１１】
本発明は、負荷を駆動するための装置、例えばピエゾアクチュエータによって、この目的を解決する。装置は、負荷を駆動するための駆動信号を使用するように構成されている。この駆動信号は信号出力を介して出力される。装置と負荷とが互いにコンパクトに、そして緊密に接続している実施の形態において、実施の形態に依存して、信号出力がどのような接続点でもよいように、この信号出力は、ノードからなる。回路技術において、ノードは、部品の電気的伝導性接続の電流分岐点である。
【００１２】
装置は、少なくともＡＣ電圧源、ＤＣ電圧源、コンデンサおよび制御装置を含む。
【００１３】
ＡＣ電圧源は、好ましくは、電圧曲線に関して、および／または、振幅の大きさに関して予め決定可能な形式で、ＡＣ電圧を出力するように構成されている。
【００１４】
ＤＣ電圧源は、予め決定可能な大きさによってＤＣ電圧を出力するように構成されている。
【００１５】
コンデンサは、１つの部品から成る１つの実施の形態の中で、および、いくつかの相互接続されたコンデンサ素子またはコンデンサ特性を持つ部品の別の実施の形態の中で、第１の端子および第２の端子を含む。
【００１６】
ＡＣ電圧源は第１の端子に接続される。さらに、信号出力（従って、間接的に負荷も）は、第２の端子に接続される。
【００１７】
最後に、制御装置は、信号出力に存在する電気的な電圧に依存して、ＤＣ電圧源と第２の端子との間の接続を制御するように構成されている。接続の制御は、制御装置がスイッチとして本質的に機能し、存在する電圧に依存してＤＣ電圧源を第２の端子に接続したり、そのような接続を切ったりすることを意味する。実施の形態において、ＤＣ電圧源は、コンデンサの第２の端子に、信号出力に、および負荷に接続された状態で接続される。
【００１８】
ＤＣ電圧を通して、ＡＣ電圧の減少が、望ましい駆動信号が生成されるように、結果として生じる。あるいは、逆もまた同様であり、駆動信号は、ＤＣ電圧を使って、ＡＣ電圧を減少させることから結果として生じる。
【００１９】
信号出力での、従ってまた負荷に存在する電圧に依存して、制御装置はＤＣ電圧源を接続したり、接続を切ったりする。従って、それは、駆動されるべき負荷が接続されるコンデンサの側の電圧制限方法で動作する。
【００２０】
別の実施の形態において、負の電圧範囲への制御信号の減少は、コンデンサを再充電する接続をさらに結果として生じる。この場合において、ＤＣ電圧とＡＣ電圧の正の振幅との差が利用される。
【００２１】
制御装置がそれぞれ切り替える電圧制限が、外部のコントローラにより規定でき、あるいは、実施の形態において回路を通して、信号出力に存在する電圧をＤＣ電圧源のＤＣ電圧と比較する制御装置によって規定できる。
【００２２】
従って、実施の形態において、制御装置はコンパレータからなり、別の実施の形態において、制御装置は少なくとも１つの整流器からなる。従属する実施の形態において、制御装置は少なくとも１つのダイオードを含む。
【００２３】
実施の形態において、駆動信号は、正の振幅および負の振幅を持つＡＣ電圧信号である。
【００２４】
駆動信号の正の振幅の大きさは、ＤＣ電圧源のＤＣ電圧の大きさに依存する。実施の形態において、正の振幅の大きさは、ＤＣ電圧の大きさに本質的に等しい。ＤＣ電圧の大きさは、駆動信号の正の振幅が、この実施の形態においてＤＣ電圧源を介して規定できるように、ＤＣ電圧源を介し規定できる。この実施の形態において、ＡＣ電圧に依存する信号は、従って、ＤＣ電圧のレベルにまで下げられる。
【００２５】
さらに、実施の形態において、駆動信号の負の振幅の大きさは、ＡＣ電圧源のＡＣ電圧の正の振幅の大きさとＤＣ電圧源のＤＣ電圧の大きさとの間の差の大きさに依存する。実施の形態において、駆動信号の負の振幅の大きさは、前記差に本質的に等しい。この差は、ＤＣ電圧源のＤＣ電圧とＡＣ電圧源のＡＣ電圧の正の振幅とが互いに異なる度合いである。ＡＣ電圧の正の振幅とＤＣ電圧の大きさとの間の差は、従って、ＡＣ電圧の減少の度合い、および、その結果、励磁信号の負の振幅も決定する。
【００２６】
全体的に見て、装置は、ＡＣ電圧の正の振幅とＤＣ電圧の大きさとの間の差によって、生成されたＡＣ電圧の減少を引き起こす。
【００２７】
実施の形態において、ＡＣ電圧信号の正の振幅および負の振幅の大きさは異なり、非対称な駆動信号が存在する。この実施の形態の利点は、装置が、異なる方法でではなく、負の振幅を生成することによって生じる異なる大きさの振幅を持つ駆動信号（または、ＡＣ電圧信号）を生成することを可能にすることである。
【００２８】
代わりに、２つの大きさが等しい対称の信号が提供される。
【００２９】
実施の形態は、ＤＣ電圧源のＤＣ電圧の大きさが、ＡＣ電圧の正の振幅の大きさよりも小さいことを提供する。
【００３０】
実施の形態において、制御装置は、信号出力に存在する電圧が、ＤＣ電圧源のＤＣ電圧より大きい、または、ＤＣ電圧に等しい場合において、ＤＣ電圧源を第２の端子に接続するように構成されている。この場合、制御装置に依存して、信号出力に電圧制限が起こる。これは、上記のＤＣ電圧源のＤＣ電圧を超える電圧が、負荷および／または信号出力が配置されているコンデンサのこの側に発生しないという事実と一致する。
【００３１】
実施の形態において、ＡＣ電圧源は、ＡＣ電流を生成する制御可能な電流源を含む。さらに、電流源（または、特にＡＣ電流源）は、コンデンサの第１の端子に接続される。従って、実施の形態において、電流源の電流出力は、ＡＣ電圧源への出力に接続され、別の実施の形態において、電流源の電流出力は、ＡＣ電圧源の出力である。
【００３２】
実施の形態において、電流源は少なくとも２つの電流調節回路を含む。別の実施の形態において、電流調節回路は別々に駆動される。電流調節回路のための例は、カレントミラー回路である。これらは、別の電流が既存の基準電流から導出されるトランジスタ回路である。
【００３３】
別の実施の形態において、ＡＣ電圧源はＤＣ電圧コンバータを含む。実施の形態において、ステップアップコンバータとして構成されたＤＣ電圧コンバータは、予め決定されたＤＣ電圧に基づいて、実施例において予め決定されたＤＣ電圧より大きい駆動電圧を生成する。この駆動電圧は、電流源に特にその制御のために供給される。従って、電流源は、駆動電圧に依存する電流信号を生成する。従って、ＡＣ電流の電圧も、駆動電圧に対応する。従って、例えば負荷としてのアクチュエータで、電流源を介して負荷を操作することによって、生成されるべき機械的なストローク（例えばダイヤフラムのストローク）が、より良く制御される。
【００３４】
実施の形態において、ＤＣ電圧コンバータは、断続的に操作されるステップアップコンバータとして構成される。ステップアップコンバータ（別名はブーストコンバータである）は、出力電圧の大きさが入力電圧の大きさより大きいＤＣ電圧コンバータである。
【００３５】
実施の形態によれば、電流源は、ＡＣ電圧源のＡＣ電圧のエッジ険しさを設定するように構成される。エッジ険しさ（または、スルー（ｓｌｅｗ）レート）は、信号の信号エッジの険しさまたは傾斜に関する。実施の形態において、スルーレートは、特に、ＡＣ電圧源のＡＣ電圧の正の振幅と０ボルトを持つ下側の振幅との間のエッジの険しさである。従って、振幅間の遷移が定義される。
【００３６】
実施の形態において、ＡＣ電圧源は、出力ＡＣ電圧が負の振幅がないように構成される。この実施の形態において、ＡＣ電圧源のＡＣ電圧は、負の電圧値を持っていない。駆動信号の負の電圧値は、ＤＣ電圧を印加することによる減少によってのみ生成される。従って、装置の１つの利点は、双極ＡＣ電圧が単極ＡＣ電圧から生成されることである。
【００３７】
従って、実施の形態において、装置は、正の電圧だけが生じる第１の部分と、実際の減少を含み、駆動信号の負の電圧が生成される第２の部分とからなる。結果として生じる実施の形態において、第２の部分は、負の電圧のために第１の部分から分離される。
【００３８】
実施の形態によると、ＡＣ電圧源は、出力ＡＣ電圧が正の振幅と０ボルトを持つ振幅とを含むように構成される。この実施の形態において、ＡＣ電圧は、また、負の電圧部分が無く、正の振幅と０ボルトとの間を行き来する。従って、このＡＣ電圧の最も低い電圧は、０ボルトである。
【００３９】
実施の形態において、負荷は接地される。従って、負荷は一方の側が接地されている。実施の形態において、これは、例えば、マイクロポンプのダイヤフラムを介して、負荷としてのピエゾアクチュエータによって実行される。ピエゾアクチュエータは、好ましくは、ダイヤフラムの機械的な動きを生成するために使用され、また、ダイヤフラムに電気的に結合される。駆動のための装置は、異なる方法で作動しないけれども、負の電圧を生成するので、負荷の一方の側の接地が可能である。
【００４０】
実施の形態において、負荷はコンデンサ特性により特徴付けられる。実施の形態において、これは、コンデンサの静電容量が負荷の静電容量より大きいという事実を伴う。実施の形態において、静電容量の比率は１〜１０であり、別の実施の形態では最高１：１００に達する。
【００４１】
実施の形態において、デバイスはチャージポンプを含む。チャージポンプは、電圧の大きさを増加する電気回路である。大きな出力電流が必要ではないとき、または、コイルなどの適切な磁気部品が使われないとき、チャージポンプが一般に使われる。
【００４２】
実施の形態によると、制御装置は少なくとも１つの整流器を含む。実施の形態において、制御装置は、カソード側においてＤＣ電圧源に接続され、アノード側において信号出力に、かつ、信号出力を介してコンデンサの第２の端子に間接的に接続される少なくとも１つのダイオードを含む。この配置を通して、ＤＣ電圧源のＤＣ電圧を使って、制御装置はコンデンサの第１の端子に存在する信号を減少する。従って、これは相対的に簡単な実施の形態である。
【００４３】
実施の形態において、制御装置はコモンモード制御として実現される。（特に線形）コモンモード制御において、２つの異なる出力間の平均が、それが同時にレベル変換であるように、基準値に設定される。
【００４４】
コモンモード制御の実施の形態において、ＡＣ電圧源により生成されたＡＣ電圧と負荷および／または信号出力との間に、ＡＣ電圧結合が存在する。測定回路（例えば制御装置の一部としての）において、負荷に接続された信号出力でのＤＣ電圧値は、負荷および／または信号出力で設定されるべき負の電圧に対応している比較値と比較される。例えば、信号出力に直接接続される２つの電流源または電圧源は、結果として生じているエラー信号または偏差信号を使用して制御される。
【００４５】
さらに、本発明は、（駆動されるべき）少なくとも１つの負荷を持っているデバイス、および、（信号出力を介して出力されるべき）駆動信号で負荷を駆動するための装置によって、目的を解決する。装置は、ＡＣ電圧源、ＤＣ電圧源、コンデンサおよび制御装置を含む。ＡＣ電圧源は、好ましくは予め決定可能な形式で、ＡＣ電圧を出力するように構成される。ＤＣ電圧源は、予め決定可能な値のＤＣ電圧を出力するように構成される。コンデンサは、第１の端子および第２の端子を含み、ＡＣ電圧源は第１の端子に接続され、装置の信号出力は第２の端子に接続される。最後に、制御装置は、信号出力に存在する電圧に依存して、ＤＣ電圧源と第２の端子との間の接続を制御するように構成される。駆動されるべき負荷は、装置の信号出力と、および従って、コンデンサの第２の端子とも接続されている。
【００４６】
別の実施の形態において、デバイスの装置は上記の実施の形態に従って構成される。従って、上記の議論および説明も、ここに適用される。
【００４７】
実施の形態によれば、負荷はピエゾアクチュエータである。従って、少なくとも１つのピエゾ素子に負荷をかける。  
【００４８】
実施の形態において、デバイスはマイクロポンプである。
【００４９】
全体的に見て、負荷を駆動するための装置に関する上記の説明および実施の形態も、そのような負荷を含むデバイスに適用される。従って、反復は省略される。
【００５０】
あるいは、装置は、デバイスとして、例えば、超音波トランスデューサまたは触覚システムまたは測定デバイスの中で使われる。
【００５１】
最後に、本発明は、駆動信号によって負荷を駆動するための方法を通して目的を解決する。
【００５２】
この場合において、負荷は、好ましくは、駆動信号を出力するために信号出力に接続されるべきである。
【００５３】
方法は以下のステップを少なくとも含む。
・好ましくは予め決定可能な形式で、ＡＣ電圧を生成するステップ。
・好ましくは予め決定可能な大きさで、ＤＣ電圧を生成するステップ。
・ＡＣ電圧をコンデンサの第１の端子に適用するステップ。
・さらに、信号出力に存在する電圧に依存して、ＤＣ電圧をコンデンサの第２の端子に印加するステップ。
【００５４】
信号出力は、好ましくはコンデンサの第２の端子に接続される。
【００５５】
方法に関して、上記の実施の形態と議論が、また、装置に適用され、逆もまた同様である。特に、方法は、また、デバイスの負荷を駆動するために用いられる。
【００５６】
詳細において、本発明に係る装置、デバイスおよび方法を構成し、さらに開発するために、多くの可能性がある。この目的のために、一方において請求項が、そして、他方において図面に関連して実施の形態の以下の説明が参照される。
【図面の簡単な説明】
【００５７】
【図１】図１は、第１の変形例におけるブロック回路図として、負荷を駆動するための本発明の装置の概略構成を示す図である。
【図２】図２は、本発明の装置の第２の変形例の概略構成を示す図である。
【図３】図３は、装置の信号の概略的な進行を示す図である。
【図４】図４は、第１のフェーズにおける本発明の装置の第３の変形例の概略構成を示す図である。
【図５】図５は、第２のフェーズにおける図４の装置を示す図である。
【図６】図６は、装置の別の実施の形態の詳細な説明を示す図である。
【図７】図７は、負荷としてのピエゾアクチュエータを駆動するための装置を持つデバイスとしてのマイクロポンプを示す図である。
【発明を実施するための形態】
【００５８】
図１は、駆動信号ＶＰＩＥＺＯによって、ピエゾアクチュエータとして例示的に構成される、負荷２を駆動する本発明の装置１の実施の形態の概略構成を示す。駆動信号ＶＰＩＥＺＯはＡＣ電圧信号であり、正の振幅および負の振幅を含む。例として、振幅はそれらの大きさに関して互いに異なる（例えば、図３参照）。従って、負荷２を駆動するための駆動信号またはＡＣ電圧信号ＶＰＩＥＺＯは非対称である。
【００５９】
負荷２は、装置１により駆動されるために、信号出力２５としてのノードを介して、装置１に第１の接点２１によって接続されている。さらに、負荷２は、第２の接点２２によって接地されている。実際において、第２の接点２２は、例えば、動かされるべき対象物、例えばダイヤフラムに機械的に結合される側である（例えば、図７参照）。
【００６０】
装置１は、示された実施例において、例えばバッテリーから生じるＤＣ電圧ＶＩＮからＡＣ電圧ＶＯＵＴを生成するＡＣ電圧源３を含む。このため、ＡＣ電圧源３は、例えば断続的に操作される誘導非同期ステップアップコンバータを含む。
【００６１】
示された実施例において、結果として生じているＡＣ電圧ＶＯＵＴは、入力電圧ＶＩＮの大きさよりも大きい大きさＶＢＳＴを持つ正の振幅を含み、かつ、０ボルトである振幅も含む。従って、ＡＣ電圧ＶＯＵＴは、負の部分が無く、すなわち、負電圧がない。例えば、入力電圧ＶＩＮは５Ｖであり、正の振幅ＶＢＳＴは１００Ｖである。
【００６２】
ＡＣ電圧源３は、コンデンサ５の第１の端子５１に、すなわち第１の側に接続されるので、コンデンサ５のこの側にはＡＣ電圧ＶＯＵＴが印加される。
【００６３】
さらに、装置１は、大きさＶ１のＤＣ電圧を出力するＤＣ電圧源４を含む。このＤＣ電圧Ｖ１は、制御装置６を介してコンデンサ５の第２の端子５２に接続される。ＤＣ電圧Ｖ１の大きさは、好ましくは、ＡＣ電圧ＶＯＵＴの正のまたは上側の振幅の大きさより小さい。従って、｜Ｖ１｜＜｜ＶＢＳＴ｜が、好ましくは適用される。上記の例の値に関して、Ｖ１は７０Ｖに等しい。
【００６４】
制御装置６は、信号出力２５での、従ってまた、負荷２に存在する電圧に依存して、ＤＣ電圧源４を、信号出力すなわちノード２５に、従って、第２の端子５２を介してコンデンサ５の第２のソースに接続する。
【００６５】
実施の形態において、仮に信号出力２５での正の電圧が、ＤＣ電圧の大きさを越えるならば、ＤＣ電圧源４はコンデンサ５の第２の端子５２に接続される。これによって、コンデンサ５は、ＡＣ電圧ＶＯＵＴの正の振幅の大きさと、ＤＣ電圧Ｖ１（この場合において正）の大きさ（この例においてより小さい）との間の差まで、ＡＣ電圧源３のより高い正の電圧にて充電される。ここで、ｄＶ＝ＶＢＳＴ−Ｖ１によって与えられる電圧差ｄＶは、その充電を反転するコンデンサ５の場合において、ＡＣ電圧ＶＯＵＴが駆動信号ＶＰＩＥＺＯを生成するために減少される大きさである。
【００６６】
仮にノード２５での電圧が再び降下するならば、スイッチとして同時に作動する制御装置６は、ＤＣ電圧源４と、ノード２５またはコンデンサ５の第２の端子５２との間の接続を開く。
【００６７】
従って、ＡＣ電圧ＶＯＵＴがコンデンサ５の一方の側に存在し、ＤＣ電圧Ｖ１が他方の側に少なくとも一時的に存在する。これは、ＤＣ電圧Ｖ１の大きさによってＡＣ電圧ＶＯＵＴの減少をもたらす。これはまた、負荷２に印加される負電圧を結果として生じる、０ボルトを持つ例示的なＡＣ電圧ＶＯＵＴの振幅をもたらす。例に対して、ｄＶ＝ＶＢＳＴ−Ｖ１＝１００−７０であるので、負の電圧は従って−３０Ｖである。これは、異なる大きさを持つ振幅を持っている全体のＡＣ電圧信号ＶＰＩＥＺＯを結果として生じる。
【００６８】
ここで、一点鎖線は、正の電圧だけを含む装置１のエリア（ここでは左側）と、正および負の電圧を含む装置１のエリア（右側）とを分離する。実施の形態において、特性に関するこの分離は、装置１を２つのエリアまたは部分に分割するために用いられる。
【００６９】
図２は、装置１の別の実施の形態を示す。構造は基本的に図１の装置のそれと同様である。ＡＣ電圧源３の実施の形態における、および、ＡＣ電圧源３とＤＣ電圧源４との間に接続があるという事実における、２つの相違がある。これらの２つの相違は以下で説明される。回路の残りについて、図１を参照して議論される。
【００７０】
ここで、ＡＣ電圧源３は、例えばステップアップコンバータである、ＤＣ電圧コンバータ７を含む。そのようなＤＣ電圧コンバータ７は、入力電圧ＶＩＮを、より高い駆動電圧ＶＢＳＴに変換する。この駆動（ＡＣ）電圧ＶＢＳＴは、ＡＣ電流信号を生成する電流源８に供給される。これは、ＡＣ電圧源３の出力での、従ってまた、コンデンサ５の第１の端子５１でのＡＣ電圧ＶＯＵＴを結果として生じる。
【００７１】
さらに、駆動電圧ＶＢＳＴは、ＤＣ電圧源４にも達する。例えば、これは、追加の（例えば外部の）電圧源およびエネルギー源の使用を抑える。
【００７２】
図３において、図２の装置のいくつかの信号の進行が図式的にプロットされる。電圧（Ｖ）はＹ軸にプロットされ、時間（ｔ）はＸ軸にプロットされる。
【００７３】
ＤＣ電圧コンバータ７の駆動電圧ＶＢＳＴおよびＤＣ電圧源４のＤＣ電圧Ｖ１が説明される。両方のＤＣ電圧ＶＢＳＴおよびＶ１は、０より大きい。
【００７４】
さらに、ＶＢＳＴは、一方でこの上側の振幅ＶＢＳＴを、および、他方で０Ｖを持つ下側の振幅を含むＡＣ電圧ＶＯＵＴの上側の振幅の大きさである。電流源８は、このＡＣ電圧信号ＶＯＵＴのエッジの険しさを設定することを可能にする。
【００７５】
他方、Ｖ１は、出力信号ＶＯＵＴが減少されるＤＣ電圧の大きさである。値ＶＢＳＴとＶ１との間には、差ｄＶ＝ＶＢＳＴ−Ｖ１がある。ＡＣ電圧ＶＯＵＴの上側の振幅の大きさは、ＤＣ電圧Ｖ１の大きさよりも大きい。
【００７６】
減少は、信号出力２５を介して負荷２に供給されるＡＣ電圧信号ＶＰＩＥＺＯを結果として生じる。ＡＣ電圧信号ＶＰＩＥＺＯは、ＤＣ電圧Ｖ１の大きさに対応する正の振幅を含む。さらに、ＡＣ電圧信号ＶＰＩＥＺＯは、示された例においてＶＢＳＴとＶ１との差に等しい負の振幅を含む。
【００７７】
図３の信号の進行に基づいて、図１および図２の実施の形態は、コンデンサ５の第１の接点５１まで負電圧が無いように、および、これらが電圧ｄＶ＝ＶＢＳＴ−Ｖ１間の差による減少を通してコンデンサ５の両端でのみ生成されるように理解される。
【００７８】
装置１の機能化は、それぞれ異なるフェーズに関する図４および図５の図面によって、別の実施の形態に基づいて説明される。
【００７９】
図４および図５の両方の図面において示された装置１は、信号出力としてのノード２５を介して、さらに接地される負荷２に接続される。負荷２は、従って、差動的な態様では駆動されないけれども、装置１は、正および負の振幅を持つＡＣ電圧という形式で、駆動信号ＶＰＩＥＺＯを提供する。
【００８０】
装置１は、ここで示された正の大きさＶ１を持つＤＣ電圧を生成するＤＣ電圧源４を含む。さらに、装置１は、２つの振幅を持つＡＣ電圧信号ＶＯＵＴを出力するＡＣ電圧源３を含む。さらに、制御装置６およびコンデンサ５が装置１に関連する。
【００８１】
ＡＣ電圧装置３により生成されたＡＣ電圧ＶＯＵＴは、コンデンサ５の片側５１に向けられる。ＤＣ電圧源４のＤＣ電圧Ｖ１は、電圧制御されたスイッチとしての役割を同時に果たす制御装置６を介して、コンデンサ５の他の片側５２に達する。電気的負荷２は、駆動信号ＶＰＩＥＺＯを得るために、ＤＣ電圧Ｖ１が適用されるコンデンサ５の片側５２に接続される。負荷２とＤＣ電圧源４とは、ここで信号出力としても機能する同じノード２５を介して、第２の端子５２に接続される。しかしながら、これは、２つの異なる物理的ノードまたは端子でもよい。
【００８２】
ここに、制御装置６は、仮にノード２５での、従って負荷２での電圧が、ＤＣ電圧源４のＤＣ電圧Ｖ１よりも下にあるならば、（整流器の例として）遮断するダイオードとして構成される。ダイオード６が遮断した状態において、制御装置６という形式のスイッチが開く。
【００８３】
仮にノード２５の電圧が本質的に、ＤＣ電圧Ｖ１に等しい、または、ＤＣ電圧Ｖ１より大きいならば、スイッチ６は閉じられて、ＤＣ電圧源４はコンデンサ５の第２の端子５２に接続される。
【００８４】
ＡＣ電圧源３は、駆動電圧ＶＢＳＴのための電圧源として機能するＤＣ電圧コンバータ７を含む。ＤＣ電圧コンバータとしての、または特にステップアップコンバータとしての実施の形態は、例えば、バッテリーから供給される、かなり小さい入力電圧で十分であるという利点を持つ。
【００８５】
この駆動電圧ＶＢＳＴは、２つの電流調節回路８１をここで含む電流源８に供給される。電流調節回路８１は、個々に調節される電流源を表す。両方の電流調節回路８１は、それぞれ、それらを、ＡＣ電圧源３の信号出力に、従って、コンデンサ５の第１の端子５１に導くノードに接続するスイッチを含む。ここに示された上側の電流調節回路８１は、ＤＣ電圧コンバータ７および出力ノードに接続される。他の電流調節回路８１は、一方が接地され、他方が出力ノードに接続される。
【００８６】
コントローラ９は、電流源８の２つのスイッチを作動して、両方のスイッチを交互に開閉する。この交番は、ＡＣ電圧をもたらし、それはコンデンサ５でのＡＣ電圧ＶＯＵＴを引き起こす。
【００８７】
図４において示されたフェーズにおいて、ＤＣ電圧コンバータ７が上側の電流調節回路８１を介してコンデンサ５の第１の端子５１に接続するように、上側のスイッチは閉じられ、下側のスイッチは開く。電流の流れを説明するために、配線上に２つの矢印が示される。
【００８８】
このフェーズにおいて、コンデンサ５は充電される。コンデンサ５の他の側において、制御装置６は、ＤＣ電圧源４のＤＣ電圧Ｖ１の値に到達した瞬間にだけ反応する。この瞬間に、制御装置６は、ＤＣ電圧源４を、ノード２５に、従って、コンデンサ５の第２の端子５２に接続する。
【００８９】
ＤＣ電圧コンバータ７の駆動電圧ＶＢＳＴの大きさは、ＤＣ電圧Ｖ１の大きさより大きいので、駆動電圧ＶＢＳＴとＤＣ電圧Ｖ１との差に等しい電圧ｄＶが、コンデンサ５に結果として生じる。損失効果はここで無視されるべきである。
【００９０】
ＤＣ電圧源４のＤＣ電圧Ｖ１に等しい、このフェーズにおける振幅を持つ駆動信号ＶＰＩＥＺＯが、負荷２に供給される。従って、電圧制限は、駆動信号ＶＰＩＥＺＯの正の成分が生成されるフェーズに対して与えられる。
【００９１】
図５に示される次のフェーズにおいて、電流源８の上側のスイッチは開き、下側のスイッチは閉じられる。この場合において、ＤＣ電圧コンバータ７は遮断されて、電流が、下側の電流調節回路８１を介し、コンデンサ５からグランド（地面）に向かって流れる。また、これは配線上の２つの矢印により示される。
【００９２】
差動電圧ｄＶはコンデンサ５を介して出力され続ける。仮に差動電圧ｄＶが、ＤＣ電圧源４でのＤＣ電圧Ｖ１より小さいならば、制御装置６は、ちょうどこの差動電圧ｄＶがノード２５での、従って負荷２での負の電圧として存在するように開く。
【００９３】
従って、負の振幅を含む駆動信号ＶＰＩＥＺＯは、負荷２に供給される。そこで、正の電圧だけが、装置１のほとんどの部品で生じる。
【００９４】
図６において、装置１は別の実施の形態に従ってより詳細に説明される。上で述べられた２つのエリアへの分離も、非常に明確に見出だされる。
【００９５】
ＤＣ電圧コンバータ７は、部分的にＩＣに集積化され、例えばそれらの寸法のために集積化するには大き過ぎるいくつかの個別の部品を含む。例えば、これらは、抵抗器と共に、Ｌと印されたコイル、ダイオードおよびいくつかのコンデンサを含む。
【００９６】
ＤＣ電圧コンバータ７は、同じ方法で示された入力を介して、入力電圧ＶＩＮが供給されて、駆動電圧ＶＢＳＴを生成する。さらに、ＤＣ電圧コンバータ７を制御するための基準値を供給するユニット（基準と称する）が設けられている。
【００９７】
さらに、ＥＮで示された入力に基づいて、ＤＣ電圧コンバータ７が、例えば、生成されるべき駆動電圧ＶＢＳＴの正の振幅の大きさを規定するために、コントローラ９により調節される。
【００９８】
駆動電圧ＶＢＳＴは、ＤＣ電圧源４および制御可能な電流源８に供給される。
【００９９】
ＤＣ電圧源４は、ここで「適応スイング制御」とも称される。ＤＣ電圧源４も、生成されるべきＤＣ電圧Ｖ１の大きさに特に関係してコントローラ９により制御される。ＤＣ電圧源４は、ここで「最大Ｖｏｕｔ制御」とも称される制御装置６に供給される、大きさＶ１を持つＤＣ電圧を生成する。さらに、ＤＣ電圧源４は、ＩＣのＡＳＣ出力を介して外部のコンデンサに接続される。
【０１００】
コントローラ９も作用する、制御装置（代わりの呼称は一般に電圧依存スイッチング装置である）６を介して、かつ、ＭＶＣと示された出力を介して、ＤＣ電圧Ｖ１が、信号出力としてノード２５に供給される。ノード２５は、コンデンサ５の第２の接点５２、および、ここでピエゾアクチュエータとして構成される負荷２の第１の接点２１に接続される。ここで、負荷２の第２の接点２２も接地される。
【０１０１】
コンデンサ５を介して、ＤＣ電圧Ｖ１は、コンデンサ５の第１の接点５１に存在するＡＣ電圧ＶＯＵＴの減少を可能にする。出力信号ＶＯＵＴは、駆動電圧ＶＢＳＴに基づいて電流源８から生成される。
【０１０２】
電流源８は、電流調節回路８１の具体的な実施の形態として２つのカレントミラーを含む。これらは、別の電流が既存の基準電流から導出できるトランジスタ回路である。電流源８は、従って、ここでＩＣの出力を介して出力される出力信号ＶＯＵＴを生成する。
【０１０３】
ＤＣ電圧源４およびＡＣ電圧源３または少なくとも１つの部品７，８の、コントローラ９、または、ＩＣのインタフェースＥＮによってここで示された分離制御は、生成されるべき２つの電圧ＶＢＳＴおよびＶ１を、従って、負荷２を駆動するための駆動信号ＶＰＩＥＺＯとしてのＡＣ電圧信号の形も、別々に設定することを可能にする。
【０１０４】
図７は、それに隣接した空洞を持つダイヤフラムを含むデバイス１００の例として、マイクロポンプを示す。媒体（ここでは示されない）を搬送するために、機械的な動きがダイヤフラムに伝達されるピエゾアクチュエータが、ダイヤフラム上に負荷２として実装される。駆動信号として上で説明されたＡＣ電圧信号によってピエゾアクチュエータ２を駆動することが、装置１により実行される。従って、上記の実施の形態も、ここに適用される。
【０１０５】
さらに、ダイヤフラムは、それに面するピエゾアクチュエータ２の側に電気的に接続されると共に、ピエゾアクチュエータ２も一方の側で接地されるように電気的に接地される。
【０１０６】
たとえいくつかの態様がデバイスの文脈内で説明されても、前記態様が対応する方法の説明も表していることが理解され、その結果、デバイスのブロックまたは構造部品も、対応する方法ステップとして、または、方法ステップの特徴として理解されるべきである。それと同様に、方法ステップの文脈内または方法ステップとして説明された態様はまた、対応するデバイスの対応するブロックまたは詳細または特徴の説明を表わす。方法ステップのうちのいくつかまたは全てが、マイクロプロセッサ、プログラム可能なコンピュータまたは電子回路などのハードウェアデバイスによる（または、ハードウェアデバイスを使用することによる）。いくつかの実施の形態において、最も重要な方法ステップのいくつかが、そのようなデバイスにより実行される。
【０１０７】
上述の実施の形態は、本発明の原理の説明を単に表している。ここに説明された配置と詳細の修正とバリエーションが当業者に明白であることが理解される。これは、本発明が、本明細書および実施の形態の説明と議論によってここに提供された特定の詳細というよりも、以下の特許請求の範囲だけに制限されることが意図される理由である。
【０１０８】
これらの結果をもたらした研究は、欧州連合によりサポートされた。
【符号の説明】
【０１０９】
１  装置
２  負荷
３  ＡＣ電圧源
４  ＤＣ電圧源
５  コンデンサ
６  制御装置
７  ＤＣ電圧コンバータ
８  制御可能な電流源
２５  ノード（信号出力）
５１  第１の端子
５２  第２の端子
１００  デバイス
ＶＰＩＥＺＯ  駆動信号
ＶＢＳＴ  駆動電圧
ＶＩＮ  ＤＣ電圧
Ｖ１  ＤＣ電圧
ＶＯＵＴ  ＡＣ電圧
【図１】
2019523624.tif 000003
【図２】
2019523624.tif 000004
【図３】
2019523624.tif 000005
【図４】
2019523624.tif 000006
【図５】
2019523624.tif 000007
【図６】
2019523624.tif 000008
【図７】
2019523624.tif 000009
【国際調査報告】
2019523624.tif 000010
2019523624.tif 000011
2019523624.tif 000012
2019523624.tif 000013